(57)【特許請求の範囲】
【請求項１】
底壁の四辺に沿ってそれぞれ側壁を対向して配置し一方の対向する側壁を、他方の対向する側壁で挟んで箱型としてなり、各側壁はヒンジとなる折曲げ枠体によって底壁と連結され上記折曲げ枠体により前記側壁を底壁内側に折畳み可能とし、隣接する上記側壁間で形成するコーナーの上部にはコーナー部材を構成する係脱自在な係合突起具を外側となる側壁に、係合受具を内側となる側壁にそれぞれに設けてなる折畳み式収納箱において、
前記折曲げ枠体によるヒンジの屈曲位置を、外側となる側壁が内側となる側壁よりもその側壁の厚み分以上の長さだけ高く設定すると共に、
前記係合受具には、隣接する外側の側壁と接する側部に開口する掛止用の穴部と、前記側部を構成する拘束壁を介して前記穴部の開口方向と直交し折畳み式収納箱の内側に向かって開口する凹部を設けてなり、
前記係合突起具には、該係合突起具が取り付けられた側壁から内方へ直交して突出し前記穴部に嵌合可能な突起と、上記側壁に沿って復帰可能に付勢されてスライドすると共に前記凹部に突入し拘束壁を係止する係止部とを備えてなることを特徴とする折畳み式収納箱。
【請求項２】
底壁が矩形状からなっており、短手辺に沿って短側壁が対向して配置されており、長手辺に沿って長側壁が対向して配置されて短側壁を挟んで箱型としてなり、
短側壁の上縁両端部に係合受具が設けられ、
長側壁の上縁両端部に係合突起具が設けられてなることを特徴とする請求項１に記載の折畳み式収納箱。
【請求項３】
隣接する側壁間で形成するコーナーの下部には、底壁側に固定されて、折畳んだ状態の折畳み式収納箱をスタッキングする際のガイドとなる下部コーナー部材が設けられていることを特徴とする請求項１または２に記載の折畳み式収納箱。
【発明の詳細な説明】
【０００１】
【発明の属する技術分野】
この発明は、物品の輸送や保管に用いる折畳み式収納箱をコンパクトに折畳むことができる構造に関する。
【０００２】
【従来の技術】
従来、例えば機械部品類を収納するために上方が開放された折畳み式収納箱が用いられている。
この折畳み式収納箱は、部品を収納する際に収納箱として組立てられるが、部品が取出されると中が空になるために、嵩張らないように収納箱を折畳んだりスタッキングするようになっている。
この折畳構造としては、例えば、短手辺側の周壁の上縁端部を支点として側壁を跳ね上げて長手辺側の周壁と共に横倒しにして折り畳む構造、あるいは底壁を中心として四側壁を外側に展開して畳む構造などが知られている。
しかし、上記構造では、折畳むことはできても、その多くは底壁の面積を上回る折畳面積を必要としており、車載や保管の際のスペース効率の点で未だ十分ではない。
そこで、上記底壁の面積内に収めるために、四側壁の中段を中折りして内側に折り畳む構造が用いられているが、折畳んだ後の全高が高いという問題点があった。
また、係脱されるコーナー部材を設ける場合には、その係合突起部の突出部分が折畳みに際して他の部材と干渉してしまう欠点があり、それを避けるためには干渉する部材の対応個所に切欠を設ける必要があった。
【０００３】
【発明が解決しようとする課題】
この発明は、上記事情に鑑みて創案されたものであって、その主たる課題は、中が空になった際には四側壁を内側に倒して底壁上に折り畳んで空箱の輸送や保管の際のスペース効率を高めた折畳み式収納箱を提供することにある。
この発明の更に別の課題は、係脱されるコーナー部材の係合突起具が折畳みに際して邪魔にならず、また収納箱の開口部を狭めることのない折畳み式収納箱を提供することにある。
【０００４】
【課題を解決するための手段】
この発明は、前記課題を達成するために、請求項１の発明では、
底壁の四辺に沿ってそれぞれ側壁を対向して配置し一方の対向する側壁を、他方の対向する側壁で挟んで箱型としてなり、各側壁はヒンジとなる折曲げ枠体によって底壁と連結され上記折曲げ枠体により前記側壁を底壁内側に折畳み可能とし、隣接する上記側壁間で形成するコーナーの上部にはコーナー部材を構成する係脱自在な係合突起具を外側となる側壁に、係合受具を内側となる側壁にそれぞれに設けてなる折畳み式収納箱において、
前記折曲げ枠体によるヒンジの屈曲位置を、外側となる側壁が内側となる側壁よりもその側壁の厚み分以上の長さだけ高く設定すると共に、
前記係合受具には、隣接する外側の側壁と接する側部に開口する掛止用の穴部と、前記側部を構成する拘束壁を介して前記穴部の開口方向と直交し折畳み式収納箱の内側に向かって開口する凹部を設けてなり、
前記係合突起具には、該係合突起具が取り付けられた側壁から内方へ直交して突出し前記穴部に嵌合可能な突起と、上記側壁に沿って復帰可能に付勢されてスライドすると共に前記凹部に突入し拘束壁を係止する係止部とを備えてなる、という技術的手段を講じている。
また、請求項２の発明では、
前記底壁が矩形状からなっており、短手辺に沿って短側壁が対向して配置されており、長手辺に沿って長側壁が対向して配置されて短側壁を挟んで箱型としてなり、
短側壁の上縁両端部に係合受具が設けられ、
長側壁の上縁両端部に係合突起具が設けられてなる、という技術的手段を講じている。
更に、請求項３の発明では、
隣接する側壁間で形成するコーナーの下部には、底壁側に固定されて、折畳んだ状態の折畳み式収納箱をスタッキングする際のガイドとなる下部コーナー部材が設けられている、という技術的手段を講じている。
【０００５】
【発明の実施の形態】
以下に、この発明の折畳み式収納箱の好適実施例について図面を参照しながら説明する。
この折畳み式収納箱は、図１から図３に示すように、矩形状の底壁１の長手辺に沿って対向する一対の長側壁２と、短手辺に沿って対向する一対の短側壁３とにより四周壁が構成され、上記長側壁２が短側壁３を両側から挟んで上方が開放された箱体を構成している。
【０００６】
ここで、上記底壁１、長側壁２および短側壁３は合成樹脂パネルから構成されている。
この合成樹脂パネルとして、本実施例では、例えばポリプロピレン樹脂の押出し成形によって成形されたものであって、押出し方向に延びて形成されている多数の中空部分を備える中空パネルを用いているが、その他の公知のパネルを用いても良い。
【０００７】
上記底壁１は、本実施例の場合に、長手辺側を左右両側で直角に折りまげて立上り片１ａを設けた断面アングル状に形成している。
この底壁１の立上り片１ａの端部と、前記長側壁２の下端とは第１折曲げ枠体４によって屈曲自在に連結されている。
この第１折曲げ枠体４は、図７に一層明瞭に示すように、長側壁２の下端部を嵌合固定する第１側壁下枠部４３と、底壁１の立上り片１ａの端部を嵌合固定する第１底壁枠体４１とからなっており、第１底壁枠体４１と第１側壁下枠部４３とを屈曲自在に連結する第１ヒンジ部４２とからなっている。
【０００８】
即ち、第１側壁下枠部４３と第１底壁枠部４１とは、共に断面がチャンネル状の溝からなっており、底壁１の長手方向に沿って一連に延びている。
そして、第１側壁下枠部４３と第１底壁枠部４１とは、その内側で第１ヒンジ部４２となる合成樹脂フィルムによって連結されており、該第１ヒンジ部４２を屈曲支点として折畳み時に長側壁２を底壁１内側へ向かって折り倒しうるようになっている。
【０００９】
次に、上記底壁１の短手方向の端部と、前記短側壁３の下端とは第２折曲げ枠体５によって屈曲自在に連結されている。
この第２折曲げ枠体５は、図８に一層明瞭に示すように、短側壁３の下端を嵌合固定する第２側壁下枠部５３と、底壁１の短手方向の端部を嵌合固定する第２底壁枠体５１と、上記第２側壁下枠部５３と第２底壁枠部５１とを屈曲自在に連結する第２ヒンジ部５２とからなっている。
【００１０】
即ち、第２側壁下枠部５３と第２底壁枠部５１とは、共に断面がチャンネル状の溝からなって、底壁１の短手方向に沿って一連に延びている。
そして、第２側壁下枠部５３と第２底壁枠部５１とは、その内側で第２ヒンジ部５２となる合成樹脂フィルムによって連結されており、該第２ヒンジ部５２を屈曲支点として折畳み時に短側壁３を底壁１内側へ向かって折り倒しうるようになっている。
【００１１】
従って、長側壁２側の第１折曲げ枠体４による第１ヒンジ部４２の屈曲位置は、短側壁３側の第２折曲げ枠体５による第２ヒンジ部５２の屈曲位置よりも、前記立上り片の高さ分、本実施例では折り畳んだ際の短側壁３側の厚み、即ち、後述の係合受部の厚みを含んだ長さと同様以上の長さだけ高く設定されているので、短側壁３を折り畳んだ際にその最上面が上記立上り片１ａの高さ以上に突出することがないように設定されている。
【００１２】
次に、前記長側壁２は、その左右の短手方向の端部に沿って断面チャンネル状の第１縦補強枠２１を対向して嵌合固着し、また長手方向の上端に沿って断面チャンネル状の第１横補強枠６を嵌合固着しており、前記第１折曲げ枠体４と共に長側壁２の周囲を枠体で補強している。
また、短側壁３は、その左右の短手方向の端部に沿って断面チャンネル状の第２縦補強枠３１を対向して嵌合固着し、また長手方向の上端に沿って断面チャンネル状の第２横補強枠７を嵌合固着しており、前記第２折曲げ枠体５と共に短側壁２の周囲を枠体で補強している。
これらの枠体および後述のコーナー部材は、本実施例の場合に射出成形あるいは押出し成形された硬質の合成樹脂材からなっている。
【００１３】
そして、前記長側壁２と短側壁３とが直交して接する上端側の各コーナー部には、両者を連結して箱形状となし、またその連結を解除して折畳み可能とする係合突起具と係合受具の組合せからなるコーナー部材８が取り付けられている。
即ち、コーナー部材８は、長側壁２の長手方向の上縁の端部で前記第１横補強枠６と第１縦補強枠２１とが交差する位置に固定される係合突起具６０と、短側壁３の長手方向の上縁の端部で前記第２横補強枠７と第２縦補強枠３１とが交差する位置に配置される係合受具７０とからなっている。
【００１４】
即ち、短側壁３に取り付けられた係合受具７０は、隣接する外側の長側壁２と接する側部に掛止用の穴部７３、７４を上下一対に設けている（図２ａ、図６参照）。
また、係合受具７０の上記穴部７３、７４と直交する内面側には、側部を構成する拘束壁７５を介して凹部７２を開口形成している。
【００１５】
一方、図５および図６に示す係合突起具６０には、該係合突起具６０が取り付けられた長側壁２の広面側から直交して内方へ突出し前記穴部７３、７４に嵌合可能な上下一対の突起６３、６４を有している。
また、係合突起具６０には上記突起６３、６４の間で長側壁２の長手方向に配置され、上記長側壁２に沿って復帰可能に付勢されてスライドすると共に前記凹部７２に突入し拘束壁７５を係止するスライド板８０が設けられている。
ここで、スライド板８０は、先端に鉤部８１を有し、内外に分かれて二重に延び、外側の片８２にはロック解除操作用の指掛け部８３が突設されている。
また、内側の片８４と外側の片８２とに掛け渡されたピンＰは、摺動子８５に嵌着されており、該摺動子８５は、係合突起具６０内に基端が係止されたコイルスプリングＣの先端に連結されてガイド孔Ｇ内で進退方向に摺動しうるようになっており、スライド板８０は常時その延長方向（ロック方向）に付勢されている。
【００１６】
上記構成からなっているので、前記係合受具７０と係合突起具６０とをロックして収納箱を組み立てる際には、まず各長側壁２と短側壁３とを立ち上げ、長側壁２側に設けられた係合突起具６０の前記突起６３、６４を短側壁３側の係合受具７０の掛止穴部７３、７４に突入させる（図６参照）。
これと同様に、スライド板６２の係止爪部８１の先端が、係合受具７０の凹部７２を形成する拘束壁部７５と衝合し（図６（ａ）参照）、更に折り倒すことにより係止爪部８１を介してスライド板８０が付勢力に抗してロック解除方向に後退する（図６（ｂ）参照）。
これにより係止爪部８１の先端が拘束壁部７５を乗り越えると、前記付勢力によってスライド板８０はロック方向に付勢されて凹部７２内に突入し、前記拘束壁部７５を拘束する。
【００１７】
この際に、本実施例では、拘束壁部７５の係止爪部８１が乗り越える先端部を切り欠いて切欠部７６を形成しているので、係止爪部８１を凹部７２の奥まで侵入させて凹部７２内に完全に没入することができる（図６（ｃ）参照）ので、組立時に上記係止爪部８１が収納箱の内部に突出することがなく、内容積を最大限利用することができる。
このようにして折畳み式収納箱の箱組立が完了する。
【００１８】
なお、上記係合突起具６０の上部には、外側に拡開し第１横補強枠６より外側位置で第１横補強枠６の厚み方向の端部まで覆う第１隅当板６１が一体に形成されており、該第１隅当板６１は、横断面が略アングル状に形成されて第１横補強枠６上に段部を一体に形成している。
また、係合受具７０は、その上部に外側に拡開し第２横補強枠７より外側位置を覆い第２横補強枠７上に段部を形成する第２隅当板７１が一体に形成されている。
この第１隅当板６１と第２隅当板７１とは組み合わさって横断面が略Ｌ状の壁面と段部を形成して、組み立てられた折畳み式収納箱をスタッキングする際の位置決めおよび掛止手段となっている。
【００１９】
図１１に示す係合突起具６０は、スライド板８０の異なる実施例を示す。
この場合、鉤部８１が頚部後方を切り欠いて、箱内部へ突出しないように形成したものであるが、この場合も拘束壁７５に切欠部７６を設けて鉤部８１が乗り越える位置を外側寄りにすることにより鉤部８１を凹部７２内に没入させることができる。
その他の構成は前記実施例と同様であるので説明を省略する。
【００２０】
次に、上記収納箱の折畳みについては、前述のように第１折曲げ枠体４による第１ヒンジ部４２の屈曲位置を、第２折曲げ枠体５による第２ヒンジ部５２の屈曲位置よりも短側壁３側の厚み分とほぼ同等の長さだけ高く設定してあるので、第１ヒンジ部４２の屈曲位置は前記短側壁３を折り畳んだ際の短側壁３の最上面よりも高くなる（図３（ｂ）参照）。
これにより、長側壁２は短側壁３の上に重ね乗せた状態となるよう、第１ヒンジ部４２を屈曲点として長壁壁２を内側に折り倒すことができる（図２（ｂ）参照）。
【００２１】
これにより上記の手順で四側壁を折り倒した状態の箱体は、側面からみると底壁１と長側壁２および短側壁３が密着して積畳まれた厚みとなる。
また、上面からみると四側壁は底壁の寸法内に折り畳まれるので極めてコンパクトな容積となる。
【００２２】
また、本実施例の場合、隣接する長側壁２と短側壁３の間で形成されるコーナーの下部には、底壁１に下部コーナー部材９０が固定されている。
この下部コーナー部材９０は、断面Ｌ状の周壁を有する有底の部材であって上記コーナーの下部に外嵌され底壁１および第１底壁枠体４１に固定されている。
そして、この下部コーナー部材９０の上部は段違いに拡開して周壁に沿った段部９１を形成している。
そこで、長側壁２および短側壁３は自由に折り畳むことができ、この折畳み状態で下部コーナー部材９０の前記段部９１が、折り畳まれた長側壁２の最上面と同等以上の高さに配置される。
従って、上記下部コーナー部材９０は、スタッキングの際の位置決めガイドとなるので、その段部９１上に別の折畳んだ折畳み式収納箱の下部コーナー部材９０の底部を掛け止めて順次スタッキングすることができる（図９、図１０参照）。
【００２３】
この折畳み式収納箱は、底壁や長側壁、短側壁を何れも中空合成樹脂パネルで成形し、また枠体やコーナー部材に例えばポリプロピレン樹脂を使用することにより、リサイクルを支障なく行なうことが可能になる。
また、上記実施例では、収納箱が底壁を長方形とする直方体形状の場合を例示したが正方形とする立方体形状の場合であってもよい。
この発明は、前記実施例に限定されるものではなく、用途に沿って任意に設計変更をすることができる。
【００２４】
【発明の効果】
この発明の折畳み式収納箱では、不使用となった空箱時には可及的にコンパクトに折り畳み、板状にしてパレットなどの上に積重ねて保管や輸送を行うことができるので、輸送や保管にかかるスペース及びコストを大幅に節約することができる。
また、空箱内の汚れなども防止できるので箱内部を清潔に保つことができる。
更に、ヒンジとなる折曲げ枠体と、係合突起具とが干渉することがないので枠体に切欠部を設ける必要がない。
また、下部コーナー部を設けることにより、折り畳んだ状態で収納箱を多段にスタッキングすることができる。
底壁と、短側壁や長側壁、枠体やコーナー部材などの全てを単一素材で成形すれば、収納箱を使い終えて最終処分する際にも一括粉砕した後にリサイクルを支障なく行なうことができ、環境保護上も極めて優れた利点を有する。
【図面の簡単な説明】
【図１】本発明の折畳み式収納箱の実施例を示す斜視図である。
【図２】（ａ）は収納箱の短手方向の断面図、（ｂ）は同折畳み状態の断面図である。
【図３】（ａ）は収納箱の長手方向の断面図、（ｂ）は同折畳み状態の断面図である。
【図４】係合突起具の正面図である。
【図５】係合突起具と係合受具を示す要部断面図である。
【図６】（ａ）から（ｃ）は係合突起具と係合受具の係合状態を段階的に説明する断面図である。
【図７】第１折曲げ枠体を示す断面図である。
【図８】第２折曲げ枠体を示す断面図である。
【図９】折畳んだ状態の収納箱のスタッキング状態を示す短手方向の断面図である。
【図１０】折畳んだ状態の収納箱のスタッキング状態を示す長手方向の断面図である。
【図１１】係合突起具のスライド板の鉤部の異なる実施例を示す断面図である。
【符号の説明】
１    底板
１ａ  立上り片
２    長側壁
３    短側壁
４    第１折曲げ枠体
５    第２折曲げ枠体
６    第１横補強枠
７    第２横補強枠
８    コーナー部材
２１    第１縦補強枠
３１    第２縦補強枠
４１    第１底壁枠体
４２    第１ヒンジ部
４３    第１側壁下枠部
４８    貫通切欠部
５１    第２底壁枠体
５２    第２ヒンジ部
５３    第２側壁下枠部
６０    係合突起具
６１    第１隅当板
６３、６４  突起
７０    係合受具
７１    第２隅当板
７３、７４  穴部
７５    拘束壁
７６    切欠部
８０    スライド板
８１    鉤部
８３    指かけ部
９０    下部コーナー部材
９１    段部
【図１】
0004418125.tif 000002
【図２】
0004418125.tif 000003
【図３】
0004418125.tif 000004
【図４】
0004418125.tif 000005
【図５】
0004418125.tif 000006
【図６】
0004418125.tif 000007
【図７】
0004418125.tif 000008
【図８】
0004418125.tif 000009
【図９】
0004418125.tif 000010
【図１０】
0004418125.tif 000011
【図１１】
0004418125.tif 000012